(57)【特許請求の範囲】
【請求項１】
製氷工程と離氷工程を交互に行って氷塊を生成するセル型の製氷機であって、
製氷室（１）の上部に、一群のセル（１１）を備えた製氷ケース（１０）と、各セル（１１）に製氷水を噴出供給する給水トレー（１２）と、給水タンク（１３）と、給水トレー（１２）および給水タンク（１３）をトレー洗浄位置と製氷位置の間で上下傾動操作するトレー操作機構（１４）が設けられており、
トレー操作機構（１４）は、正逆転駆動と変速駆動が可能な傾動モーター（３５）と、傾動モーター（３５）で傾動操作される駆動アーム（３６・３７）と、給水トレー（１２）と駆動アーム（３６・３７）の間に配置される連動ばね（３９）と、傾動モーター（３５）の運転状態を制御する制御部（４０）を備えており、
離氷工程においては、制御部（４０）から出力される駆動指令信号で傾動モーター（３５）の駆動状態を制御して、給水トレー（１２）および給水タンク（１３）を製氷位置から離氷位置とトレー洗浄位置に下降傾動させており、
離氷位置に達したら、傾動モーター（３５）を高速運転状態で駆動して給水トレー（１２）および給水タンク（１３）を速やかに下降傾動させており、
製氷位置から離氷位置の間は、傾動モーター（３５）を低速運転状態で駆動して、給水トレー（１２）および給水タンク（１３）をゆっくりと下降傾動させることを特徴とするセル型の製氷機。
【請求項２】
製氷工程においては、制御部（４０）から出力される駆動指令信号で傾動モーター（３５）の駆動状態を制御して、給水トレー（１２）および給水タンク（１３）をトレー洗浄位置から貯水位置と製氷前段位置と製氷位置に上昇傾動させており、
貯水位置から製氷前段位置の間は、傾動モーター（３５）を高速運転状態で駆動して、給水トレー（１２）および給水タンク（１３）を速やかに上昇傾動させ、
製氷前段位置から製氷位置の間は、傾動モーター（３５）を低速運転状態で駆動して、給水トレー（１２）および給水タンク（１３）をゆっくりと上昇傾動させる請求項１に記載のセル型の製氷機。
【請求項３】
離氷工程において、給水トレー（１２）および給水タンク（１３）を製氷位置から離氷位置へ下降傾動させる間は、駆動モードが無段階増速モードに設定された傾動モーター（３５）を低速運転状態で駆動しており、
給水トレー（１２）および給水タンク（１３）が離氷位置に達したら、駆動モードが段階増速モードに設定された傾動モーター（３５）を高速運転状態で駆動する請求項１、または２に記載のセル型の製氷機。
【請求項４】
製氷工程において、給水トレー（１２）および給水タンク（１３）を貯水位置から製氷前段位置へ上昇傾動させる間は、駆動モードが段階増速モードに設定された傾動モーター（３５）を高速運転状態で駆動しており、
給水トレー（１２）および給水タンク（１３）を製氷前段位置から製氷位置へ上昇傾動させる間は、駆動モードが無段階減速モードに設定された傾動モーター（３５）を低速運転状態で駆動する請求項１から３のいずれかひとつに記載のセル型の製氷機。
【請求項５】
トレー操作機構（１４）に、駆動アーム（３６）の傾動動作に連動して往復回動する一対のスイッチカム（５５・５６）と、各スイッチカム（５５・５６）で切換え操作される第１スイッチ（５７）および第２スイッチ（５８）が設けられており、
一対のスイッチカム（５５・５６）は、駆動軸（３８）に固定されており、
第１スイッチ（５７）および第２スイッチ（５８）は、給水トレー（１２）がトレー洗浄位置から製氷位置に切換った状態と、製氷位置からトレー洗浄位置に切換った状態において、それぞれ対応するスイッチカム（５５・５６）で切換え操作されてオン信号を出力するように設けてあり、
第１スイッチ（５７）と第２スイッチ（５８）から出力される、いずれか一方のオン信号と、他方から出力されるオン信号によって、給水トレー（１２）が製氷位置に切換ったことと、給水トレー（１２）がトレー洗浄位置に切換ったことを制御部（４０）で判定している請求項１から４のいずれかひとつに記載のセル型の製氷機。
【請求項６】
給水トレー（１２）の上方に、給水トレー（１２）および給水タンク（１３）に対して製氷水およびトレー洗浄水を供給する給水部（１５）が設けられており、
給水部（１５）は、給水トレー（１２）の上方に配置した給水パイプ（４８）と、給水パイプ（４８）に連通する原水通路（４９）と、同通路（４９）に設けた電磁弁（５０）を備えており、
製氷工程において、給水トレー（１２）および給水タンク（１３）がトレー洗浄位置から貯水位置まで上昇傾動した状態において、電磁弁（５０）が開弁されて製氷水を給水トレー（１２）および給水タンク（１３）に送給し、
給水トレー（１２）および給水タンク（１３）が製氷前段位置から製氷位置まで上昇傾動する間に、電磁弁（５０）が閉弁されて製氷水の送給を停止する請求項１から５のいずれかひとつに記載のセル型の製氷機。
【発明の詳細な説明】
【技術分野】
【０００１】
本発明は、一群のセルを備えた製氷ケースと、セルに向かって製氷水を噴出する給水トレーを備えているセル型製氷機に関する。
【背景技術】
【０００２】
この種の製氷機では、製氷工程と離氷工程を繰返し行ってキューブ状の氷塊を生成する。各工程においては、給水トレーおよび給水タンクをトレー操作機構で製氷ケースへ向かって上昇傾動させ、あるいは給水トレーおよび給水タンクを製氷ケースから分離する向きへ下降傾動させる。このような給水トレーおよび給水タンクの傾動動作に関して、除氷工程において給水トレー（水皿）を下降傾動の初期に停止させ、緩やかに傾斜した給水トレーの上面に沿って常温水を流下させることにより、給水トレーの上面に付着している残氷を除去することが特許文献１に開示してある。
【０００３】
特許文献１のセル型製氷機においては、開閉機構（トレー操作機構）の駆動源として変速駆動が可能なＤＣモーターを使用して、給水トレーおよび給水タンクを高速度あるいは低速度で傾動操作している。具体的には、製氷工程の開始時にＤＣモーターを高速運転して、給水トレーを高速で上昇傾動させ、さらにＤＣモーターを低速運転して給水タンク内に充分な量の製氷水を貯留できるようにしている。離氷工程においては、ＤＣモーターを数秒間だけ高速運転して、給水トレーと製氷ケースの間に隙間を確保し、この状態で製氷水を氷塊に噴出して白濁部を融解する。次にＤＣモーターを低速運転して、給水トレーをゆっくりと下降傾動させたのち停止させ、常温水を流して給水トレーの上面に付着している残氷を除去する。最後に、ＤＣモーターを高速運転して給水トレーを下降傾動させ、セルから落下した氷塊を製氷室に放出して離氷工程を終了する。
【０００４】
製氷ケースから落下した氷塊が、給水トレーの上面に引っ掛かるのを防止することに関して、本出願人は特許文献２のセル型製氷機を先に提案している。そこでは、各給排水溝を折れ線状に配置して、セルから落下した氷塊が給排水溝に引っ掛かるのを防止している。
【先行技術文献】
【特許文献】
【０００５】
【特許文献１】特許第５１３８９４１号公報（段落００２９、図４）
【特許文献２】特開２００７−２１８５１５号公報（段落００２９、図５）
【発明の概要】
【発明が解決しようとする課題】
【０００６】
特許文献１のセル型製氷機においては、離氷工程において、ＤＣモーターを数秒間だけ高速運転して、給水トレーと製氷ケースの間に隙間を確保したのち、この状態で製氷水を氷塊に噴出して白濁部を融解する。そのため、ＤＣモーターを高速運転するときの給水トレーの衝撃的な下降傾動で氷が割れて、給水トレー側に取残されてしまいやすい。とくに、製氷工程が終了した時点で、製氷水の噴射部に設けた排水溝や戻り穴の内部にまで氷が成長して、氷塊の下面に突氷部が形成されている場合には、給水トレーの衝撃的な下降傾動によって突氷部が割れて、排水溝や戻り穴の内部に取残されてしまう。なかでも、傾動軸から遠く離れたトレー先端部の下降速度は他の部位の下降速度に比べて大きいため、突氷部に大きな衝撃力が作用しやすく、突氷部が割れて残りやすい。このように、排水溝や戻り穴に付着している残氷は融けにくいため、より多くの洗浄水を流して除去する必要があり、その分だけ製氷機のランニングコストが嵩む。また、残氷を除去しきれなかった場合には、残氷でせき止められた洗浄水どうしが合流して、流勢の強い太い流れが形成され、給水トレーの傾斜下端から勢いよく飛出して製氷室へ落下し、製氷室内のキューブ状の氷塊どうしが結着して大きな塊になってしまう。
【０００７】
本発明の目的は、離氷時に排水溝や戻り穴内で氷が割れるのを防止して、洗浄水の消費量を削減し、その分だけランニングコストを減らすことができるセル型の製氷機を提供することにある。
本発明の目的は、排水溝や戻り穴内で成長した氷が割れるのを防止して、トレー洗浄時の洗浄水が残氷によって乱されて、給水トレーの傾斜下端から勢いよく飛出して製氷室へ流下するのを解消し、製氷室における氷塊の結着を解消できるセル型の製氷機を提供することにある。
【課題を解決するための手段】
【０００８】
本発明に係る製氷機は、製氷工程と離氷工程を交互に行ってキューブ状の氷塊を生成するセル型の製氷機を対象とする。製氷室１の上部に、一群のセル１１を備えた製氷ケース１０と、各セル１１に製氷水を噴出供給する給水トレー１２と、給水タンク１３と、給水トレー１２および給水タンク１３をトレー洗浄位置と製氷位置の間で上下傾動操作するトレー操作機構１４を設ける。トレー操作機構１４は、正逆転駆動と変速駆動が可能な傾動モーター３５と、傾動モーター３５で傾動操作される駆動アーム３６・３７と、給水トレー１２と駆動アーム３６・３７の間に配置される連動ばね３９と、傾動モーター３５の運転状態を制御する制御部４０を備えている。離氷工程においては、制御部４０から出力される駆動指令信号で傾動モーター３５の駆動状態を制御して、給水トレー１２および給水タンク１３を製氷位置から離氷位置とトレー洗浄位置に下降傾動させる。離氷位置に達したら、傾動モーター３５を高速運転状態で駆動して給水トレー１２および給水タンク１３を速やかに下降傾動させる。製氷位置から離氷位置の間は、傾動モーター３５を低速運転状態で駆動して、給水トレー１２および給水タンク１３をゆっくりと下降傾動させることを特徴とする。
【０００９】
製氷工程においては、制御部４０から出力される駆動指令信号で傾動モーター３５の駆動状態を制御して、給水トレー１２および給水タンク１３をトレー洗浄位置から貯水位置と製氷前段位置と製氷位置に上昇傾動させる。貯水位置から製氷前段位置の間は、傾動モーター３５を高速運転状態で駆動して、給水トレー１２および給水タンク１３を速やかに上昇傾動させる。製氷前段位置から製氷位置の間は、傾動モーター３５を低速運転状態で駆動して、給水トレー１２および給水タンク１３をゆっくりと上昇傾動させる。
【００１０】
離氷工程において、給水トレー１２および給水タンク１３を製氷位置から離氷位置へ下降傾動させる間は、駆動モードが無段階増速モードに設定された傾動モーター３５を低速運転状態で駆動する。また、給水トレー１２および給水タンク１３が離氷位置からトレー洗浄位置に達したら、駆動モードが段階増速モードに設定された傾動モーター３５を高速運転状態で駆動する。
【００１１】
製氷工程において、給水トレー１２および給水タンク１３を貯水位置から製氷前段位置へ上昇傾動させる間は、駆動モードが段階増速モードに設定された傾動モーター３５を高速運転状態で駆動する。また、給水トレー１２および給水タンク１３を製氷前段位置から製氷位置へ上昇傾動させる間は、駆動モードが無段階減速モードに設定された傾動モーター３５を低速運転状態で駆動する。
【００１２】
トレー操作機構１４に、駆動アーム３６の傾動動作に連動して往復回動する一対のスイッチカム５５・５６と、各スイッチカム５５・５６で切換え操作される第１スイッチ５７および第２スイッチ５８を設ける。一対のスイッチカム５５・５６は、駆動軸３８に固定する。第１スイッチ５７および第２スイッチ５８は、給水トレー１２がトレー洗浄位置から製氷位置に切換った状態と、製氷位置からトレー洗浄位置に切換った状態において、それぞれ対応するスイッチカム５５・５６で切換え操作されてオン信号を出力するように設ける。第１スイッチ５７と第２スイッチ５８から出力される、いずれか一方のオン信号と、他方から出力されるオン信号によって、給水トレー１２が製氷位置に切換ったことと、給水トレー１２がトレー洗浄位置に切換ったことを制御部４０で判定する。
【００１３】
給水トレー１２の上方に、給水トレー１２および給水タンク１３に対して製氷水およびトレー洗浄水を供給する給水部１５を設ける。給水部１５は、給水トレー１２の上方に配置した給水パイプ４８と、給水パイプ４８に連通する原水通路４９と、同通路４９に設けた電磁弁５０を備えている。製氷工程において、給水トレー１２および給水タンク１３がトレー洗浄位置から貯水位置まで上昇傾動した状態において、電磁弁５０が開弁されて製氷水を給水トレー１２および給水タンク１３に送給する。給水トレー１２および給水タンク１３が製氷前段位置から製氷位置まで上昇傾動する間に、電磁弁５０が閉弁されて製氷水の送給を停止する。
【発明の効果】
【００１４】
本発明に係る製氷機では、傾動モーター３５と、駆動アーム３６・３７と、連動ばね３９と、傾動モーター３５の運転状態を制御する制御部４０などでトレー操作機構１４を構成した。また、離氷工程において、製氷位置から離氷位置の間は、傾動モーター３５を低速運転状態で駆動して、給水トレー１２および給水タンク１３をゆっくりと下降傾動させるようにした。こうした製氷機によれば、離氷開始時の給水トレー１２を製氷ケース１０からゆっくりと下降移動させながら分離できる。そのため、排水溝２６や戻り穴２７の内部で成長した突氷部５３が氷塊の下面に形成されていたとしても、排水溝２６および戻り穴２７と突氷部５３の境界面に作用するせん断力が衝撃的に作用するのを避けて、排水溝２６および戻り穴２７を突氷部５３からすっぽりと抜外すことができる。従って、下降傾動に伴う衝撃が突氷部５３に作用して氷塊から割れ、さらに割れた突氷部５３が排水溝２６や戻り穴２７内に残るのを解消できる。
【００１５】
また、割れた突氷部５３が排水溝２６や戻り穴２７内に残るのを解消できるので、トレー洗浄に必要な洗浄水の量を削減して、その分だけ製氷機のランニングコストを減少できる。突氷部５３が離氷時に割れて排水溝２６や戻り穴２７内に残ることがないので、トレー洗浄時に洗浄水の流れが残氷によって乱されるのを一掃でき、これに伴い、洗浄水が給水トレー１２の傾斜下端から勢いよく飛出して製氷室１へ流下するのを解消し、製氷室１において氷塊が結着するのを防止できる。加えて、離氷位置に達したら、傾動モーター３５を高速運転状態で駆動して給水トレー１２および給水タンク１３を速やかに下降傾動させるので、離氷工程を完了するのに要するサイクルタイムを短縮して、単位時間当たりの製氷効率を向上できる。
【００１６】
製氷工程において、製氷前段位置から製氷位置の間は、傾動モーター３５を低速運転状態で駆動して、給水トレー１２および給水タンク１３をゆっくりと上昇傾動させるので、給水トレー１２および給水タンク１３が運動慣性力でオーバーランするのを解消できる。これに伴い、給水トレー１２が製氷位置で停止するタイミングを一定にして、給水トレー１２と製氷ケース１０の対向間隔を常に一定にでき、氷塊を常に一定の製氷条件下で適正に生成できる。また、貯水位置から製氷前段位置の間は、傾動モーター３５を高速運転状態で駆動して、給水トレー１２および給水タンク１３を速やかに上昇傾動させるので、製氷工程を完了するのに要するサイクルタイムを短縮して、単位時間当たりの製氷効率を向上できる。
【００１７】
傾動モーター３５を無段階増速モードで駆動して、給水トレー１２を製氷位置から離氷位置へ下降傾動させると、給水トレー１２が下降傾動し始めるときの下降速度を充分に小さくして、その分だけ排水溝２６および戻り穴２７と突氷部５３の境界面におけるせん断力が衝撃的に作用するのを回避できる。従って、傾動モーター３５を無段階増速モード以外の駆動モードで駆動する場合に比べて、突氷部５３が割れて排水溝２６および戻り穴２７内に残るのをさらに確実に解消できる。また、傾動モーター３５を段階増速モードで駆動して、給水トレー１２を離氷位置から下降傾動させると、給水トレー１２の下降速度が所定の速度に達した後は、給水トレー１２が一定の速度で下降傾動するので、下降傾動時の運動慣性力がいたずらに大きくなるのを解消できる。従って、給水トレー１２がオーバーランするのを防止し、トレー洗浄位置において給水トレー１２の停止位置がばらつくのを防止しながら、離氷工程に要するサイクルタイムがいたずらに増加するのを防止できる。
【００１８】
傾動モーター３５を段階増速モードで駆動して、給水トレー１２を貯水位置から製氷前段位置へ上昇傾動させると、充分な量の製氷水が給水タンク１３に貯まる前に給水トレー１２および給水タンク１３を上昇傾動させて、傾動モーター３５の駆動負荷を軽減できる。また、給水トレー１２を貯水位置から製氷前段位置へ高速運転状態で上昇傾動させるので、その分だけ製氷工程に要するサイクルタイムを減少できる。さらに、傾動モーター３５を無段階減速モードで駆動して、給水トレー１２を製氷前段位置から製氷位置へ上昇傾動させると、給水トレー１２を徐々に減速しながら上昇傾動できるので、給水トレー１２を常に適正な製氷位置で停止させて、給水トレー１２と製氷ケース１０の対向間隔を好適化できる。従って、氷塊を一定の製氷条件で適正に生成できる。
【００１９】
トレー操作機構１４に、一対のスイッチカム５５・５６と、第１、第２のスイッチ５７・５８を設け、各スイッチ５７・５８から出力されるオン信号によって、給水トレー１２が製氷位置に切換ったこととトレー洗浄位置に切換ったことを制御部４０で判定するようにした。こうした、製氷機によれば、制御部４０によるトレー洗浄位置と製氷位置の判定を、各スイッチ５７・５８から出力されるオン信号によってより明確に行える。また、駆動軸３８に固定した回動半径が小さなスイッチカム５５・５６で第１、第２の各スイッチ５７・５８をオン操作するので、回転半径と周速度が大きな駆動アーム３６でスナップスイッチ４４を切換え操作する場合に比べて、各スイッチ５７・５８がオン状態に切換るタイミングのばらつきを小さくできる。従って、給水トレー１２および給水タンク１３がトレー洗浄位置、あるいは製氷位置で停止するときの位置のばらつきを小さくして、常に適正な製氷条件下で製氷を行える。
【００２０】
給水トレー１２がトレー洗浄位置から貯水位置まで上昇傾動した状態において、電磁弁５０を開弁して製氷水を供給し、給水トレー１２が製氷前段位置から製氷位置まで上昇傾動する間に電磁弁５０を閉弁して製氷水の供給を停止するようにした。こうした製氷機によれば、電磁弁５０が開弁されて製氷水が給水タンク１３に供給され始めるのと同時に、給水トレー１２および給水タンク１３を製氷前段位置へ向かって速やかに上昇傾動できる。これに伴い、充分な量の製氷水が給水タンク１３に貯まる前に給水トレー１２および給水タンク１３を上昇傾動できるので、貯水位置から製氷前段位置に至る間に駆動される傾動モーター３５の駆動負荷を軽減して、モーター寿命を延ばすことができる。
【図面の簡単な説明】
【００２１】
【図１】本発明の実施例１に係る製氷機のタイミングチャートである。
【図２】実施例１に係る製氷機の内部正面図である。
【図３】実施例１に係る製氷ユニットの縦断正面図である。
【図４】実施例１に係る製氷ユニットの右側面図である。
【図５】実施例１に係る製氷ユニットの要部の正面図である。
【図６】実施例１に係る製氷ユニットの平面図である。
【図７】給水トレーがトレー洗浄位置へ下降傾動した状態を示す正面図である。
【図８】離氷時の氷塊とノズル穴の詳細を示す断面図である。
【図９】実施例２に係るスイッチ機構を示す断面図である。
【図１０】実施例２に係る製氷機のタイミングチャートである。
【図１１】実施例３に係るスイッチ機構を示す断面図である。
【発明を実施するための形態】
【００２２】
（実施例１）  図１ないし図８は、本発明に係るセル型の製氷機の実施例１を示している。図２において、セル型の製氷機は、断熱箱として構成される上側の製氷室１と、製氷室１の下側に区画される機械室２を備えており、製氷室１の内面上部に製氷ユニット３を配置し、機械室２の内部に圧縮機４、凝縮器５、および送風ファン６などの冷却ユニットが配置してある。図示していないが、製氷室１の前面には、製氷室１内の底部に貯留された氷塊を取出すための取出口が開口してあり、この取出口は引違い開閉可能なドア、または揺動開閉可能なドアで開閉できる。
【００２３】
図２および図３に示すように、製氷ユニット３は、製氷室１の天井内面に固定したユニットベース９で支持されており、同ベース９の下面に固定した製氷ケース１０と、製氷ケース１０に設けた一群のセル１１に製氷水を噴出供給する給水トレー１２と、給水トレー１２の下面に設けた給水タンク１３などを主な構成部材にして構成してある。製氷ユニット３は、先の部材以外に、給水トレー１２および給水タンク１３を製氷位置とトレー洗浄位置の間で上下傾動するトレー操作機構１４と、給水トレー１２および給水タンク１３に常温の製氷水を供給する給水部１５と、製氷されずに給水タンク１３内に残った製氷水を排水するための排水パン１６などを備えている。
【００２４】
製氷ケース１０は、熱伝導性に優れた金属製の四角皿状の容器からなり、その下面に一群のセル１１が下向きに開口する状態で格子状に区画してある。製氷ケース１０の上面には、蒸発器として機能する熱交換パイプ１９がケース壁に密着する状態で折返し配置してある。製氷時には凝縮器５から送給されて膨張弁（図示していない）で減圧膨張させたのちの冷媒液を、熱交換パイプ１９で気化させて製氷ケース１０をマイナス２５℃に冷却する。また、離氷時には、圧縮機４から送給されたホットガスが熱交換パイプ１９に送給されて製氷ケース１０を加熱し、セル１１内に形成されたキューブ状の氷塊の表面を融解してセル壁から分離するのを促進する。
【００２５】
図３に示すように給水トレー１２は、下向きに開口する四角皿状のトレー本体２０と、給水トレー１２の下面に固定される水路枠２１で構成する。水路枠２１は、一群のセル１１に対応して枝分かれする分岐水路２２を備えており、各分岐水路２２と正対するトレー本体２０の上壁に、製氷水をセル１１に向かって噴出供給するノズル穴２３が開口してある。水路枠２１の基端部分２１ａには、給水タンク１３に設けた加圧ポンプ２４の吐出路２５が接続してある。
【００２６】
製氷時に加圧ポンプ２４を駆動すると、給水タンク１３内の製氷水が加圧ポンプ２４で加圧されて各分岐水路２２へと送給され、ノズル穴２３からセル１１内へ向かって噴出される。図８に示すように、ノズル穴２３の周囲には、セル１１内で氷結しなかった製氷水を給水タンク１３へ流下させる排水溝２６と戻り穴２７が、ノズル穴２３を間にして対向配置してある。一対の排水溝２６および戻り穴２７は、離氷時に下り傾斜する給水トレー１２の傾斜方向に沿って配置してある。
【００２７】
給水タンク１３は、上向きに開口する四角皿状のプラスチック成型品からなり、その底壁３０は加圧ポンプ２４の吸込口２８へ向かって下り傾斜させてある。給水タンク１３は、離氷時に給水トレー１２とともに下り傾斜するが、傾斜下端側の後壁側には、製氷工程で消費されなかった製氷水や、トレー洗浄水を排水パン１６に排出する排水樋３１が設けてある。
【００２８】
給水トレー１２および給水タンク１３はトレーブラケット３２に固定してあり、同ブラケット３２の上端に設けた傾動軸３３で上下傾動可能に軸支してある。給水トレー１２および給水タンク１３はトレー操作機構１４で傾動軸３３の周りに上下操作されて、給水トレー１２が製氷ケース１０の下面に正対する製氷位置（図３に示す位置）と、給水トレー１２が製氷ケース１０から離れて下り傾斜するトレー洗浄位置（図７に示す位置）の間を上下傾動する。
【００２９】
図４ないし図６に示すようにトレー操作機構１４は、ユニットベース９の前端に固定したブラケット３４で支持される傾動モーター３５と、同モーター３５で往復傾動操作される前後一対の駆動アーム３６・３７と、両駆動アーム３６・３７を連動可能に連結する駆動軸３８と、各駆動アーム３６・３７と給水トレー１２の間に掛止した引張りコイル形の連動ばね３９などで構成してある。傾動モーター３５は市販の減速ユニット付のＤＣモーターからなり、製氷室１の内周壁に設けた制御部４０（図２参照）からの指令信号を受けて正逆転駆動され、かつ、正逆転時に高速運転状態と低速運転状態に変速駆動することができる。
【００３０】
各駆動アーム３６・３７は、連動ばね３９を掛止するための掛止アーム４１・４１を備えており、各掛止アーム４１・４１に設けたピン４２と、給水トレー１２の傾動先端の前後面に固定したピン４３との間に、連動ばね３９の両端が掛止してある。傾動モーター３５に隣接する駆動アーム３６には、掛止アーム４１とともにスナップスイッチ（スイッチ）４４を切換え操作するスイッチアーム４５が設けてあり、掛止アーム４１およびスイッチアーム４５で、スナップスイッチ４４のスイッチレバー４６を傾倒操作して、スナップスイッチ４４をオン状態またはオフ状態に切換えることができる。制御部４０は、スナップスイッチ４４のオン・オフ状態と、タイマーによる計時データーに基づき、傾動モーター３５の駆動状態を制御する。その詳細は後述する。
【００３１】
図３に示すように給水部１５は、給水トレー１２の傾動基端の上方に配置した給水パイプ４８と、給水パイプ４８と図示していない水道管を接続する原水通路４９と、原水通路４９に設けた電磁弁５０などで構成してある。給水パイプ４８の下面には、給水トレー１２に向かって水道水（製氷水）を供給する一群の給水穴５１が開口してある。給水パイプ４８から常温の水道水を送給することにより、製氷工程において給水タンク１３の内部に所定量の製氷水を貯留することができ、あるいは、離氷工程において給水トレー１２の上面にトレー洗浄水を供給することができる。
【００３２】
以上のように構成したセル型の製氷機は、図１に示すように、製氷工程と離氷工程を交互に行ってキューブ状の氷塊を生成し製氷室１内に貯留する。
（製氷工程）製氷工程においては、制御部４０で傾動モーター３５の運転状態を制御して、給水トレー１２をトレー洗浄位置から貯水位置と製氷前段位置と製氷位置に切換えて製氷を行う。トレー洗浄位置における駆動アーム３６は、図７に示すようにその掛止アーム４１が時計の文字盤の７時の位置にあって、給水トレー１２および給水タンク１３を下り傾斜姿勢に保持しており、スナップスイッチ４４はオフ状態に切換っている。
【００３３】
上記の状態において製氷工程が開始されると、制御部４０から駆動信号を受けた傾動モーター３５が低速運転状態で正転駆動されて、駆動アーム３６を時計回転方向へゆっくりと傾動操作する。これに伴い、給水トレー１２および給水タンク１３は連動ばね３９に引っ張られて、トレー洗浄位置から貯水位置までゆっくりと上昇傾動する。給水トレー１２および給水タンク１３が貯水位置へ達するのと同時に電磁弁５０が開弁されて、給水トレー１２および給水タンク１３に製氷水が供給される。同時に傾動モーター３５が高速運転状態で正転駆動されて、給水トレー１２および給水タンク１３を製氷前段位置まで速やかに上昇傾動させる。
【００３４】
給水トレー１２および給水タンク１３が製氷前段位置まで上昇傾動したら、傾動モーター３５を低速運転状態で正転駆動して、給水トレー１２および給水タンク１３を製氷位置へゆっくりと上昇傾動させる。電磁弁５０は、給水トレー１２が製氷位置に達し、タイマーによる計時が開弁から所定の時間が経過した時点で閉弁されて製氷水の供給を停止する。製氷位置においては、駆動アーム３６の掛止アーム４１がスナップスイッチ４４をオン状態に切換える。この状態の給水トレー１２の上面は、図３に示すように製氷ケース１０の下面と正対して、ノズル穴２３と排水溝２６と戻り穴２７が各セル１１と正対している。
【００３５】
スナップスイッチ４４がオン状態に切換わるのと同時に、傾動モーター３５が停止され、さらに電磁弁５０が閉弁されたのちに加圧ポンプ２４が起動されて、給水タンク１３内の製氷水が各分岐水路２２を介してノズル穴２３からセル１１内へ向かって噴出される。熱交換パイプ１９には、スナップスイッチ４４がオン状態に切換わる少し前か、オン状態に切換わるのと同時に冷媒液が供給されて、製氷ケース１０を冷却する。以後、各セル１１の内部にキューブ状の氷塊が成長するまでの間（約２０〜３０分）、ノズル穴２３からセル１１内へ向かって製氷水を噴出する。製氷工程が終了するのと同時に、加圧ポンプ２４を停止して製氷水の供給が停止される。
【００３６】
なお、製氷工程において、給水トレー１２および給水タンク１３がトレー洗浄位置から製氷位置まで上昇傾動するのに要する合計時間は約４０秒であり、トレー洗浄位置から貯水位置まで上昇傾動するのに要する時間は５〜１０秒である。また、貯水位置から製氷前段位置まで上昇傾動するのに要する時間は２０〜３０秒であり、製氷前段位置から製氷位置まで上昇傾動するのに要する時間は５〜１０秒である。
【００３７】
上記のように、給水トレー１２および給水タンク１３を、トレー洗浄位置から貯水位置まで低速運転状態で上昇傾動させると、スナップスイッチ４４がオフ状態にあることを制御部４０に対して確実に認識させることができる。従って、その後の傾動モーター３５および電磁弁５０の制御を、ばらつきのない状態で適確に行うことができる。また、給水トレー１２および給水タンク１３を、貯水位置から製氷前段位置まで高速運転状態で上昇傾動させると、製氷工程を完了するのに要するサイクルタイムを短縮して、単位時間当たりの製氷効率を向上できる。さらに、製氷前段位置から製氷位置までは、給水トレー１２および給水タンク１３を、再び低速運転状態でゆっくりと上昇傾動させるので、給水トレー１２および給水タンク１３が運動慣性力でオーバーランするのを解消して、給水トレー１２が製氷位置で停止するタイミングを一定にできる。従って、給水トレー１２と製氷ケース１０の対向間隔を常に一定にして、一定の製氷条件下で氷塊を適正に生成できる。また、駆動アーム３６が製氷前段位置から製氷位置までゆっくりと傾動移動することにより、スナップスイッチ４４がオフ状態からオン状態に切換わるタイミングを常に一定にして、以後の制御部４０による各機器の制御を的確に行える。
【００３８】
上記のように、傾動モーター３５は低速運転状態、または高速運転状態で駆動するが、各運転状態の速度差は、低速運転状態における給水トレー１２の傾斜下端の角速度を１とするとき、高速運転状態の角速度は１〜２である。なお、傾動モーター３５が離氷工程において逆転駆動される場合の低速運転状態および高速運転状態は、傾動モーター３５が正転駆動される場合の低速運転状態および高速運転状態と同じである。
【００３９】
（離氷工程）離氷工程においては、制御部４０で傾動モーター３５の運転状態を制御して、給水トレー１２を製氷位置から離氷位置と洗浄前段位置とトレー洗浄位置に切換えて、氷塊をセル１１から給水トレー１２上に落下させ、さらに、下り傾斜している給水トレー１２に沿って製氷室１へと滑落させる。製氷位置における駆動アーム３６は、図５に示すようにその掛止アーム４１が時計の文字盤の１２時の位置にあって、給水トレー１２および給水タンク１３を水平姿勢に保持しており、スナップスイッチ４４はオン状態になっている。離氷工程が開始されると、まず、圧縮器４から熱交換パイプ１９にホットガスを送給して製氷ケース１０を加熱することにより、セル１１に付着している氷塊の付着面を融解する。熱交換パイプ１９に対するホットガスの送給は、給水トレー１２がトレー洗浄位置に切換わったのちに停止される。
【００４０】
上記の状態で、制御部４０から傾動モーター３５へ駆動信号を出力して、同モーター３５を低速運転状態で逆転駆動すると、駆動アーム３６が傾動モーター３５の駆動力を受けて反時計回転方向へ傾動する。駆動アーム３６が傾動するのに伴って、連動ばね３９の張力が低下するので、給水トレー１２および給水タンク１３は衝撃を伴うこともなく、離氷位置までゆっくりと下降傾動する。離氷位置においては、給水トレー１２および給水タンク１３の重量による傾動モーメントと連動ばね３９の張力が釣合っている。給水トレー１２および給水タンク１３が離氷位置まで下降傾動するのと同時に傾動モーター３５が高速運転状態で逆転駆動されて、給水トレー１２および給水タンク１３を洗浄前段位置まで下降傾動させる。その間に、氷塊はセル１１から落下して給水トレー１２の上面で受止められ、同トレー１２の傾斜面に沿って滑落して製氷室１へと落下する。
【００４１】
給水トレー１２が洗浄前段位置まで下降傾動したら、傾動モーター３５を低速運転状態で逆転駆動して、給水トレー１２をトレー洗浄位置までゆっくりと下降傾動させる。トレー洗浄位置まで下降傾動した状態では、製氷工程で消費されずに給水タンク１３に残った冷たい製氷水が、排水樋３１から排水パン１６へ排出される。また、給水トレー１２がトレー洗浄位置まで下降傾動するのと同時に電磁弁５０が開弁されて、常温の洗浄水（水道水）を給水トレー１２に供給して、給水トレー１２の上面に付着している霜や、排水溝２６や戻り穴２７に付着している小さな氷片を、洗浄水で融解しながら洗い流して給水タンク１３内へ流下させる。上記のように、給水トレー１２および給水タンク１３を、洗浄前段位置からトレー洗浄位置へ向かってゆっくりと下降傾動させると、給水トレー１２および給水タンク１３が運動慣性力でオーバーランするのを解消して、給水トレー１２をトレー洗浄位置に適正に停止できる。また、スナップスイッチ４４がオフ状態に切換るタイミングを一定にして、検出精度を向上し、給水トレー１２および給水タンク１３がトレー洗浄位置に位置していることを制御部４０で明確に判定できる。
【００４２】
洗浄水の一部は、戻り穴２７から給水タンク１３内へと流下し、給水トレー１２の傾斜下端に達した洗浄水は、トレー端から給水タンク１３内へ流下して、先に説明した冷たい製氷水とともに排水樋３１から排水パン１６へ排出される。以後、製氷工程と離氷工程を繰り返し行って、製氷室１に貯留されるキューブ状の氷塊の量を増やすが、製氷室１に貯留されるキューブ状の氷塊の量が所定量に達すると、そのことを図示していないセンサーで検知して、製氷機を待機モードに保持する。
【００４３】
なお、離氷工程において、給水トレー１２および給水タンク１３が製氷位置からトレー洗浄位置まで下降傾動するのに要する合計時間は約４０〜５０秒であり、製氷位置から離氷位置まで下降傾動するのに要する時間は５〜１５秒である。また、洗浄前段位置からトレー洗浄位置まで下降傾動するのに要する時間は５〜１５秒である。
【００４４】
上記のように、実施例１では、給水トレー１２および給水タンク１３を、製氷位置から離氷位置まで低速運転状態でゆっくりと下降傾動させるようにした。こうした製氷機によれば、図８に示すように、排水溝２６や戻り穴２７の内部で成長した突氷部５３が氷塊の下面に形成されていたとしても、排水溝２６や戻り穴２７を突氷部５３に対してゆっくりと下方移動させながら分離できるので、突氷部５３が氷塊から割れて排水溝２６や戻り穴２７内に残るのを解消できる。また、割れた突氷部５３が排水溝２６や戻り穴２７内に残るのを解消することにより、残氷によって形成された流勢の強い洗浄水が、給水トレー１２の傾斜下端から勢いよく飛出して製氷室１へ流下するのを解消して、製氷室１における氷塊の結着を解消できる。さらに、給水トレー１２および給水タンク１３を、離氷位置からトレー洗浄位置まで高速運転状態で下降傾動させるので、離氷工程を完了するのに要するサイクルタイムを短縮して、単位時間当たりの製氷効率を向上できる。
【００４５】
上記の実施例における低速運転状態、および高速運転状態においては、傾動モーター３５が以下のいくつかの駆動モードで駆動される。その一つは、傾動モーター３５が起動されて所定の駆動時間が経過するまでの間に、傾動モーター３５の駆動回転数を漸増させて目標駆動回転数に達するまで増速するモード（無段階増速モード）であり、主に低速運転時に適用される駆動モードである。他のひとつは、傾動モーター３５が目標駆動回転数まで急激に増速されて、所定の駆動時間が経過するまでの間、目標駆動回転数で駆動されるモード（段階増速モード）であり、主に高速運転時に適用される駆動モードであるが、必要があれば低速運転時に適用してもよい。他のひとつは、傾動モーター３５が起動されて所定の駆動回転数に達したのち、所定の駆動時間が経過するまでの間に、傾動モーター３５の駆動回転数を漸減させて目標駆動回転数に減速するモード（無段階減速モード）であり、主に低速運転時に適用される駆動モードである。
【００４６】
離氷工程において、給水トレー１２および給水タンク１３を、製氷位置から離氷位置へゆっくりと下降傾動する場合には、傾動モーター３５を低速運転状態で駆動するが、このときの傾動モーター３５の駆動モードは無段階増速モードに設定することが好ましい。傾動モーター３５を無段階増速モードで駆動すると、給水トレー１２が下降傾動し始めるときの下降速度を小さくできる。また、給水トレー１２の下降速度が小さい分だけ、排水溝２６および戻り穴２７と突氷部５３の境界面に作用するせん断力が衝撃的に作用するのを避けて、排水溝２６および戻り穴２７を突氷部５３からすっぽりと抜外すことができる。さらに、突氷部５３が排水溝２６および戻り穴２７と分離した後は、給水トレー１２の下降速度が徐々に増加するので、離氷工程に要するサイクルタイムがいたずらに増加するのを防止できる。
【００４７】
離氷工程において、給水トレー１２および給水タンク１３を離氷位置からトレー洗浄位置へ速やかに下降傾動する場合には、傾動モーター３５を高速運転状態で駆動するが、このときの傾動モーター３５の駆動モードは段階増速モードに設定することが好ましい。傾動モーター３５を段階増速モードで駆動すると、給水トレー１２の下降速度が所定の速度に達した後は、給水トレー１２が一定の速度で下降傾動したのち、スナップスイッチ４４がスイッチアーム４５でオフ操作されて傾動モーター３５を停止させる。そのため、給水トレー１２が下降傾動するときの運動慣性力がいたずらに大きくなるのを解消して、給水トレー１２がオーバーランするのを防止し、トレー洗浄位置において給水トレー１２の停止位置がばらつくのを防止できる。
【００４８】
製氷工程において、給水トレー１２をトレー洗浄位置から貯水位置まで上昇傾動する場合には、傾動モーター３５の駆動モードを無段階増速モードに設定して低速運転状態で駆動するのが好ましい。
【００４９】
製氷工程において、給水トレー１２を貯水位置から製氷前段位置まで上昇傾動する場合には、傾動モーター３５の駆動モードを段階増速モードに設定して高速運転状態で駆動するのが好ましい。傾動モーター３５を段階増速モードで駆動すると、電磁弁５０が開弁されて製氷水が給水タンク１３に供給され始めるのと同時に、給水トレー１２および給水タンク１３を速やかに上昇傾動させることができる。つまり、充分な量の製氷水が給水タンク１３に貯まる前に給水トレー１２および給水タンク１３を上昇傾動できるので、傾動モーター３５の駆動負荷を軽減できる。
【００５０】
製氷工程において、給水トレー１２を製氷前段位置から製氷位置まで上昇傾動する場合には、傾動モーター３５の駆動モードを無段階減速モードに設定して低速運転状態で駆動するのが好ましい。傾動モーター３５を無段階減速モードで駆動すると、給水トレー１２および給水タンク１３を、徐々に減速しながら上昇傾動できるので、給水トレー１２を常に適正な製氷位置で停止させて、給水トレー１２と製氷ケース１０の対向間隔を好適化できる。従って、氷塊を一定の製氷条件で適正に生成できる。とくに給水トレー１２の傾動下端側に位置するトレー上面と製氷ケース１０の対向間隔は、給水トレー１２が製氷位置で停止したときの僅かなばらつきの影響を受けて大きく変動するおそれがあるが、こうしたばらつきを解消して氷塊を適正に生成できる。
【００５１】
（実施例２）  図９、および図１０はスイッチ構造を変更した製氷機の実施例２を示している。そこでは、駆動アーム３６の傾動動作に連動して往復回動する２個のスイッチカム５５・５６を駆動軸３８に固定した。また、各スイッチカム５５・５６で切換え操作される常開型の第１、第２のマイクロスイッチ（第１、第２のスイッチ）５７・５８を、各スイッチカム５５・５６に対応して設けるようにした。スイッチカム５５・５６は、駆動軸３８に対して中心軸方向へ隣接する状態で固定してあり、第１、第２のマイクロスイッチ５７・５８も、前後にずらした状態でスイッチケース５９に固定してある。スイッチカム５５・５６の周面には嘴状の操作カム片６０・６１が突設してあり、この操作カム片６０・６１で第１、第２のマイクロスイッチ５７・５８のアクチュエーターボタン５７ａ・５８ａを受動ばね５７ｂ・５８ｂを介して押し込むことにより、各マイクロスイッチ５７・５８をオン状態に切換えることができる。
【００５２】
図９においては、給水トレー１２および給水タンク１３がトレー洗浄位置から製氷位置へ上昇傾動したとき、紙面に向かって奥側（後側）のスイッチカム５５が第１マイクロスイッチ（第１スイッチ）５７をオン操作している状態を示している。紙面に向かって手前側（前側）の第２マイクロスイッチ（第２スイッチ）５８はオフ状態になっている。この状態から駆動軸３８が矢印で示すように反時計回転方向へ傾動すると、給水トレー１２および給水タンク１３が製氷位置からトレー洗浄位置まで下降傾動して、紙面に向かって手前側（前側）のスイッチカム５６が想像線で示す位置まで回動して、第２マイクロスイッチ５８をオン状態に切換える。この状態では、紙面に向かって奥側（後側）の第１マイクロスイッチ５７はオフ状態になる。上記のように、第１スイッチ５７および第２スイッチ５８は、給水トレー１２がトレー洗浄位置から製氷位置に切換った状態と、製氷位置からトレー洗浄位置に切換った状態において、それぞれ対応するスイッチカム５５・５６で切換え操作されてオン信号を出力する。
【００５３】
離氷工程においては、図１０に示すように、傾動モーター３５の運転状態を制御部４０で制御して、給水トレー１２を製氷位置から離氷位置と、洗浄前段位置と、トレー洗浄位置に切換えて、氷塊をセル１１から給水トレー１２上に落下させる。製氷位置から離氷位置までの給水トレー１２および給水タンク１３の下降傾動動作は、実施例１と同じである。給水トレー１２および給水タンク１３が離氷位置まで下降傾動するのと同時に傾動モーター３５を高速運転状態で逆転駆動して、給水トレー１２および給水タンク１３を洗浄前段位置まで下降傾動させ、洗浄前段位置からトレー洗浄位置までは、傾動モーター３５を低速運転状態で逆転駆動して、給水トレー１２および給水タンク１３を、トレー洗浄位置へ向かってゆっくりと下降傾動する点も実施例１と同じである。他も実施例１と同じであるので、同じ部材に同じ符号を付してその説明を省略する。以下の実施例においても同じとする。
【００５４】
上記のように、給水トレー１２および給水タンク１３を、洗浄前段位置からトレー洗浄位置へ向かってゆっくりと下降傾動させると、給水トレー１２および給水タンク１３が運動慣性力でオーバーランするのを解消して、給水トレー１２をトレー洗浄位置に適正に停止できる。また、第２マイクロスイッチ５８がオン状態に切換るタイミングを一定にして、給水トレー１２および給水タンク１３がトレー洗浄位置に位置していることを制御部４０で明確に判定できる。
【００５５】
上記のように実施例２における制御部４０は、第１マイクロスイッチ５７からオン信号が出力され、第２マイクロスイッチ５８がオフ状態にあるとき、給水トレー１２および給水タンク１３が製氷位置まで上昇傾動したと判定する。また、第２マイクロスイッチ５８からオン信号が出力され、第１マイクロスイッチ５７がオフ状態にあるとき、給水トレー１２および給水タンク１３がトレー洗浄位置まで下降傾動したと判定する。このように、第１スイッチ５７から出力されるオン信号と、第２スイッチ５８から出力されるオン信号によって、給水トレー１２が製氷位置に切換ったことと、トレー洗浄位置に切換ったことを制御部４０で判定すると、制御部４０によるトレー洗浄位置と製氷位置の判定を、各マイクロスイッチ５７・５８から出力されるオン信号によってより明確に行える。また、第１、第２の各マイクロスイッチ５７・５８が、オン状態からオフ状態に切換ったことを、制御部４０で明確に判定できる。
【００５６】
また、駆動軸３８に固定した回動半径が小さなスイッチカム５５・５６で第１、第２の各マイクロスイッチ５７・５８をオン操作するので、各マイクロスイッチ５７・５８がオン状態に切換るタイミングのばらつきを小さくできる。従って、給水トレー１２および給水タンク１３がトレー洗浄位置、あるいは製氷位置で停止するときの位置のばらつきを小さくして、常に適正な製氷条件下で製氷を行える。因みに、スナップスイッチ４４を掛止アーム４１およびスイッチアーム４５でオン状態と、オフ状態に切換える場合には、両アーム４１・４５の回転半径と周速度が大きいため、スナップスイッチ４４がオンまたはオフ状態に切換るタイミングにばらつきを生じやすい。そのため、給水トレー１２および給水タンク１３がトレー洗浄位置、あるいは製氷位置で停止するときの位置がばらついて、製氷条件がばらつくのを避けられない。なお、オン状態の第１マイクロスイッチ５７は、給水トレー１２および給水タンク１３が製氷位置から離氷位置へ下降傾動する過程でオフ状態に切換る。また、オン状態の第２マイクロスイッチ５８は、給水トレー１２および給水タンク１３がトレー洗浄位置から貯水位置へ上昇傾動する過程でオフ状態に切換る。
【００５７】
（実施例３）  図１１はスイッチ構造をさらに変更した製氷機の実施例３を示している。そこでは、実施例２と同様に２個のスイッチカム５５・５６を駆動軸３８に固定し、各スイッチカム５５・５６に対応して常開型の第１、第２のマイクロスイッチ（スイッチ）５７・５８を、スイッチケース５９の対向壁に固定した。スイッチカム５５・５６は、駆動軸３８に対して中心軸方向へ隣接する状態で固定してあり、第１、第２のマイクロスイッチ５７・５８も、前後にずらした状態でスイッチケース５９に固定してある。
【００５８】
図１１においては、給水トレー１２および給水タンク１３がトレー洗浄位置から製氷位置へ上昇傾動したとき、紙面に向かって奥側（後側）のスイッチカム５５が第１マイクロスイッチ５７をオン操作している状態を示している。紙面に向かって手前側（前側）の第２マイクロスイッチ５８はオフ状態になっている。この状態から駆動軸３８が矢印で示すように反時計回転方向へ傾動すると、給水トレー１２および給水タンク１３が製氷位置からトレー洗浄位置まで下降傾動して、紙面に向かって手前側（前側）のスイッチカム５６が想像線で示す位置まで回動して、第２マイクロスイッチ５８をオン状態に切換える。この状態では、紙面に向かって奥側（後側）の第１マイクロスイッチ５７はオフ状態になる。なお、離氷工程においては、実施例２と同様に、傾動モーター３５の運転状態を制御部４０で制御して、給水トレー１２を製氷位置から離氷位置と、洗浄前段位置と、トレー洗浄位置に切換えて、氷塊をセル１１から給水トレー１２上に落下させる。また、洗浄前段位置からトレー洗浄位置までは、実施例２と同様に、傾動モーター３５を低速運転状態で逆転駆動して、給水トレー１２および給水タンク１３を、トレー洗浄位置へ向かってゆっくりと下降傾動させる。
【００５９】
実施例３のスイッチ構造によれば、実施例２のスイッチ構造と同様に、第１スイッチ５７から出力されるオン信号と、第２スイッチ５８から出力されるオン信号によって、給水トレー１２が製氷位置あるいはトレー洗浄位置に切換ったことを制御部４０で判定できる。従って、制御部４０によるトレー洗浄位置と製氷位置の判定を、各マイクロスイッチ５７・５８から出力されるオン信号によってより明確に行える。また、駆動軸３８に固定した回動半径が小さなスイッチカム５５・５６で第１、第２の各マイクロスイッチ５７・５８をオン操作するので、各マイクロスイッチ５７・５８がオン状態に切換るタイミングのばらつきを小さくできる。従って、実施例２のスイッチ構造と同様に、給水トレー１２および給水タンク１３がトレー洗浄位置、あるいは製氷位置で停止するときの位置のばらつきを小さくして、常に適正な製氷条件下で製氷を行える。
【００６０】
上記以外に、傾動モーター３５はＤＣモーターである必要はなく、正逆転駆動と変速駆動が可能なモーターであれば、その種別は問わない。傾動モーター３５の駆動方向に関して、正転駆動とは、傾動モーター３５の駆動方向が給水トレー１２の上下傾動動作と整合している限り、時計回転方向と反時計回転方向のいずれであってもよい。また、逆転駆動時の傾動モーター３５の駆動方向は正転駆動時の逆となる。なお、離氷位置とトレー洗浄位置の間は、傾動モーター３５を単に高速運転状態で駆動して、給水トレー１２と給水タンク１３を下降移動させてもよい。
【符号の説明】
【００６１】
１  製氷室
３  製氷ユニット
１０  製氷ケース
１１  セル
１２  給水トレー
１３  給水タンク
１４  トレー操作機構
１５  給水部
１９  熱交換パイプ
２３  ノズル穴
２６  排水溝
２７  戻り穴
３５  傾動モーター
３６・３７  駆動アーム
３９  連動ばね
４０  制御部
４８  給水パイプ
５３  突氷部
【図１】
0006370270.tif 000002
【図２】
0006370270.tif 000003
【図３】
0006370270.tif 000004
【図４】
0006370270.tif 000005
【図５】
0006370270.tif 000006
【図６】
0006370270.tif 000007
【図７】
0006370270.tif 000008
【図８】
0006370270.tif 000009
【図９】
0006370270.tif 000010
【図１０】
0006370270.tif 000011
【図１１】
0006370270.tif 000012